(57)【特許請求の範囲】
【請求項１】
対象のプラントにおける各蒸気制御器の状態を検出する状態検出部と、前記状態検出部からの検出情報を入力する入力部と、対象の前記蒸気制御器の状態が正常か不良かの判定を行う状態判定部とを備える機器管理システムであって、  対象のプラントにおける前記各蒸気制御器には、前記各蒸気制御器を識別するための機器識別情報を設定してあり、  前記状態検出部は、対応する前記機器識別情報を含めた前記検出情報を前記入力部に入力する構成にしてあり、  対象のプラントにおける前記各蒸気制御器の位置を示す位置情報を前記各蒸気制御器に設定した前記機器識別情報と対応付けた状態で予め格納してあるとともに、蒸気制御器に対する工事パターンを蒸気制御器の機種と蒸気制御器の設置状態とに基づき分類した状態で予め格納してある記憶部と、  前記状態判定部で状態が不良であると判定された前記蒸気制御器を工事対象機器として、前記各工事対象機器について、前記記憶部から、前記検出情報に基づく前記機器識別情報から前記位置情報を抽出するとともに、前記機器識別情報から特定される前記蒸気制御器の機種及び設置状態から対応する前記工事パターンを抽出するデータ抽出部と、  前記各工事対象機器について、抽出された前記位置情報と前記工事パターンからなる工事情報を生成する工事情報生成部とを備える機器管理システム。
【請求項２】
前記状態判定部は、対象とする前記蒸気制御器の不良種別の判定も行う構成にし、  前記記憶部は、前記工事パターンを前記不良種別と前記蒸気制御器の機種及び設置状態とに基づき分類して格納する構成にし、  前記データ抽出部は、前記不良種別と前記機器識別情報から特定される前記蒸気制御器の機種及び設置状態とに基づいて前記工事パターンを抽出する構成にしてある請求項１に記載の機器管理システム。
【請求項３】
前記位置情報は、前記機器識別情報に対応する前記蒸気制御器の前記プラントの配置図上の位置を示す画像とその蒸気制御器の撮影画像とを含む請求項１又は２に記載の機器管理システム。
【請求項４】
前記状態判定部は、対象の前記蒸気制御器の不良の程度も判定する構成にし、  前記データ抽出部は、不良であると判定された前記蒸気制御器のうち、前記状態判定部で判定された前記不良の程度に基づき、前記工事対象機器として前記位置情報と前記工事パターンの抽出を行う前記蒸気制御器を選別する構成にしてある請求項１〜３のいずれか１項に記載の機器管理システム。
【請求項５】
前記工事情報生成部は、前記各工事対象機器の前記位置情報に基づいて、工事を行う前記各工事対象機器の順番として推奨する工事順を示す工程表を生成する構成にしてある請求項１〜４のいずれか１項に記載の機器管理システム。
【請求項６】
前記工事情報生成部は、前記位置情報から計算する前記各工事対象機器に対する工事作業の総移動距離又は総移動時間に基づいて前記工事順を演算する構成にしてある請求項５に記載の機器管理システム。
【請求項７】
前記工事情報生成部は、前記工事順を、前記各工事対象機器に対応する前記工事パターンに基づく工事作業種別も加味して生成する構成にしてある請求項５又は６に記載の機器管理システム。
【請求項８】
前記工事情報生成部は、前記工程表として、前記推奨する工事順に基づいて前記各工事対象機器の前記工事情報を並べたものを生成する構成にしてある請求項５〜７のいずれか一項に記載の機器管理システム。
【請求項９】
請求項１〜８のいずれか１項に記載の機器管理システムを用いた工事方法であって、  前記各工事対象機器の前記工事情報を表示した可搬式の表示体を携帯し、前記工事情報を参照しながら前記各工事対象機器の工事作業を行う工事方法。
【請求項１０】
請求項５〜８のいずれか１項に記載の機器管理システムを用いた工事方法であって、  前記各工事対象機器の前記工事情報と前記工程表とを表示した可搬式の表示体を携帯し、前記工事情報と前記工程表とを参照しながら前記各工事対象機器の工事作業を行う工事方法。
【請求項１１】
請求項８に記載の機器管理システムを用いた工事方法であって、  前記工程表を表示した可搬式の表示体を携帯し、前記工程表を参照しながら前記各工事対象機器の工事作業を行う工事方法。
【請求項１２】
前記工事作業に先立って、前記各工事対象機器に対し目印を設置する請求項９〜１１のいずれか１項に記載の工事方法。
【請求項１３】
前記目印が、前記目印を設置する前記工事対象機器に対応する前記工事情報の印刷物である請求項１２に記載の工事方法。
【発明の詳細な説明】
【技術分野】
【０００１】  本開示は、対象のプラントにおける各蒸気制御器の状態を検出する状態検出部と、前記状態検出部からの検出情報を入力する入力部と、対象の前記蒸気制御器の状態が正常か不良かの判定を行う状態判定部とを備える機器管理システム、及び、これを用いた蒸気制御器の工事方法に関する。
【背景技術】
【０００２】  従来、プラントを流通する蒸気を制御する蒸気制御器（例えば、蒸気中の凝縮水などのドレンを排出する蒸気トラップ、蒸気配管における蒸気の流れる方向や流量を制御するバルブ、蒸気中の異物を取り除くストレーナなど）の管理には、蒸気制御器の状態を検出する状態検出部から検出情報が入力され、この検出情報に基づき対象の蒸気制御器の状態を判定する機器管理システム（特許文献１参照）などにより行われていた。【０００３】  上記のシステムによれば、プラントに設置された蒸気制御器について、どの蒸気制御器の状態が不良であるかといった情報がデータ管理装置に集約されるので、データ管理装置を参照することでどの蒸気制御器に対し修理や交換などの工事作業を行えばよいかがわかる。
【先行技術文献】
【特許文献】
【０００４】
【特許文献１】特開２０１０−２０４８０１号公報
【発明の概要】
【発明が解決しようとする課題】
【０００５】  しかし、工事対象の機器を決定し工事作業を行うにしても、蒸気制御器はプラントに分散して多数設置されているため、工事対象機器の具体的位置を把握することや、また、工事対象機器の周辺まで行ったとしても対象の機器がどこにあるのか特定したり、複数の蒸気制御器が密集している場合にはそのうちのどれが工事対象の機器なのかを特定することが困難であった。【０００６】  また、蒸気制御器に対して行う工事作業も、修理すべきか交換すべきか、どのような道具・方法で修理するかやどの機種に交換するかなど、その工事パターンはその蒸気制御器の機種や設置状態等に応じて変わり、その工事パターンごとに必要な道具や交換用の蒸気制御器が変わるため、効率的な工事作業のためにはこれを的確に把握して工事作業を行う必要があった。【０００７】  このように、蒸気制御器に対する工事作業を効率的に行うためには蒸気制御器の位置とその工事パターンを把握しておく必要があるところ、上記従来のシステムでは、どの蒸気制御器に対し工事作業を行えばいいかはわかっても、そこまで考慮されたものではなかった。【０００８】  この実情に鑑み、本開示の主たる課題は、蒸気制御器に対する工事作業を効率的に行うための機器管理システムを提供することにある。
【課題を解決するための手段】
【０００９】  本開示に係る機器管理システムは、  対象のプラントにおける各蒸気制御器の状態を検出する状態検出部と、前記状態検出部からの検出情報を入力する入力部と、対象の前記蒸気制御器の状態が正常か不良かの判定を行う状態判定部とを備える機器管理システムであって、  対象のプラントにおける前記各蒸気制御器には、前記各蒸気制御器を識別するための機器識別情報を設定してあり、  前記状態検出部は、対応する前記機器識別情報を含めた前記検出情報を前記入力部に入力する構成にしてあり、  対象のプラントにおける前記各蒸気制御器の位置を示す位置情報を前記各蒸気制御器に設定した前記機器識別情報と対応付けた状態で予め格納してあるとともに、蒸気制御器に対する工事パターンを蒸気制御器の機種と蒸気制御器の設置状態とに基づき分類した状態で予め格納してある記憶部と、  前記状態判定部で状態が不良であると判定された前記蒸気制御器を工事対象機器として、前記各工事対象機器について、前記記憶部から、前記検出情報に基づく前記機器識別情報から前記位置情報を抽出するとともに、前記機器識別情報から特定される前記蒸気制御器の機種及び設置状態から対応する前記工事パターンを抽出するデータ抽出部と、  前記各工事対象機器について、抽出された前記位置情報と前記工事パターンからなる工事情報を生成する工事情報生成部とを備える。【００１０】  つまり、上記構成によれば、データ管理装置に対する状態検出部からの検出情報の入力によって、データ管理装置の記憶部に予め格納した位置情報と蒸気制御器の工事パターンが、入力される検出情報に基づく対象の機器の機器識別情報と機器識別情報から特定される蒸気制御器の機種（蒸気トラップやバルブなどどの機器であるかやその製品型式）及び設置状態（例えば接続仕様、用途、温度圧力条件（どのような温度圧力の蒸気が通るか）、設置期間、修理回数など）とに基づいてデータ抽出部により抽出されて、工事情報生成部で抽出された位置情報と工事パターンからなる工事情報が生成される。そしてこの工事情報により、蒸気制御器の位置とその工事パターンとが明確に把握できるため、この工事情報を利用することにより効率的に工事作業を行うことができる。【００１１】  なお、データ抽出部による位置情報と蒸気制御器の工事パターンの抽出は、機器識別情報と機器識別情報から特定される蒸気制御器の機種及び設置状態とからデータ抽出部が自動的に抽出を行うものであってもよく、また、機器識別情報と機器識別情報から特定される蒸気制御器の機種及び設置状態とを人が参照しながら人の指示によりデータ抽出部が抽出を行うものであってもよい。また、位置情報の抽出を自動的に行い、蒸気制御器の工事パターンの抽出を人の指示により行うなど、自動的な抽出と人の指示による抽出とを組み合わせたものであってもよい。【００１２】  また、位置情報としては、対象の機器のプラントの配置図上での位置を示す図や対象の蒸気制御器を具体的に特定するための撮影画像、対象の機器が属するプラントのエリア名、具体的な取付場所や取り付けている装置の名称など、対象のプラントにおける蒸気制御器の具体的位置を示す情報であればよい。蒸気制御器の工事パターンとしては、例えば、工���作業の種類、改善すべき項目、必要な道具、蒸気制御器や周辺部分に対する工事対象箇所を示す画像などが挙げられる。【００１３】  以下、本開示に係る機器管理システムの好適な態様について説明する。但し、以下に記載する好適な態様例によって、本開示の範囲が限定される訳ではない。【００１４】  一つの態様として、前記状態判定部は、対象とする前記蒸気制御器の不良種別の判定も行う構成にし、前記記憶部は、前記工事パターンを前記不良種別と前記蒸気制御器の機種及び設置状態とに基づき分類して格納する構成にし、前記データ抽出部は、前記不良種別と前記機器識別情報から特定される前記蒸気制御器の機種及び設置状態とに基づいて前記工事パターンを抽出する構成にしてあると好適である。【００１５】  つまり、上記構成によれば蒸気制御器の機種と蒸気制御器の設置状態に加え、さらに不良種別にも基づいてより細かな部分まで工事パターンを分類することができて、工事対象とする機器により即した工事パターンをデータ抽出部から抽出することができる。これにより生成される工事情報に基づき一層効率的に工事作業を行うことができる。【００１６】  一つの態様として、前記位置情報は、前記機器識別情報に対応する前記蒸気制御器の前記プラントの配置図上の位置を示す画像とその蒸気制御器の撮影画像とを含むと好適である。【００１７】  つまり、上記構成によれば、位置情報に含まれるプラントの配置図上の位置を示す画像により、工事対象機器を工事するのにどこに向かえばよいのかが明確にわかり、さらに蒸気制御器の撮影画像により、工事対象機器を容易に特定することができて、工事対象機器までの移動とその特定を容易且つ効率的に行うことができる。これにより一層効率的に工事作業を行うことができる。【００１８】  一つの態様として、前記状態判定部は、対象の前記蒸気制御器の不良の程度も判定する構成にし、前記データ抽出部は、不良であると判定された前記蒸気制御器のうち、前記状態判定部で判定された前記不良の程度に基づき、前記工事対象機器として前記位置情報と前記工事パターンの抽出を行う前記蒸気制御器を選別する構成にしてあると好適である。【００１９】  つまり、上記構成によれば、必ずしも工事が必要でない軽度の不良を示す蒸気制御器を省いて、工事を早急に行う必要のある蒸気制御器のみを工事対象機器として工事に必要な工事情報を生成することができる。これにより、工事を必要とする蒸気制御器のみについて効率的に工事作業を行うことができる。【００２０】  一つの態様として、前記工事情報生成部は、前記各工事対象機器の前記位置情報に基づいて、工事を行う前記各工事対象機器の順番として推奨する工事順を示す工程表を生成する構成にしてあると好適である。【００２１】  つまり、上記構成によれば、工程表を生成することにより、工事対象機器に対しどの順番で工事を行えば効率的な工事作業が行えるかがわかる。これにより、一層効率的に工事作業を行うことができる。【００２２】  一つの態様として、前記工事情報生成部は、前記位置情報から計算する前記各工事対象機器に対する工事作業の総移動距離又は総移動時間に基づいて前記工事順を演算する構成にしてあると好適である。【００２３】  つまり、上記構成によれば、総移動距離又は総移動時間の観点から、効率的な工程表を容易に作成することができる。【００２４】  一つの態様として、前記工事情報生成部は、前記工事順を、前記各工事対象機器に対応する前記工事パターンに基づく工事作業種別も加味して生成する構成にしてあると好適である。【００２５】  つまり、上記構成によれば、例えば、交換用の機器を持っていかずに済むように機器の修理のみを行えばよい機器を優先的に工事する場合や、修理や交換の作業に特殊な方法や道具を用いる機種のみを優先的に工事する場合など工事作業の種別（修理なのか機器の交換なのかや、どの機種に対して修理交換を行うのかなど）が同じ工事対象機器を優先して工事を行う方がより効率的に工事作業を行える場合、にも対応した工程表を作成することができる。【００２６】  一つの態様として、前記工事情報生成部は、前記工程表として、前記推奨する工事順に基づいて前記各工事対象機器の前記工事情報を並べたものを生成する構成にしてあると好適である。【００２７】  つまり、上記構成によれば、工程表として、工事対象機器の工事情報が推奨される工事順に示されるから、この工程表に基づいて工事作業を行うことで、極めて効率的に工事作業を行うことができる。【００２８】  本開示に係る工事方法は、  上記した本開示に係る機器管理システムを用いた工事方法であって、  前記各工事対象機器の前記工事情報及び前記工程表の一方又は双方を表示した可搬式の表示体を携帯し、前記工事情報及び前記工程表の一方又は双方を参照しながら前記各工事対象機器の工事作業を行う。【００２９】  つまり、上記構成によれば、効率的な工事作業を行うのに必要な情報が表示される工事情報と効率的な工事順が示された工程表との一方又は双方に基づいて工事作業を行うため、効率的に工事作業を行うことができる。【００３０】  なお、表示体としては、ディスプレイを備える可搬式の携帯端末や、工事情報や工程表を印刷した紙など適当な表示体を用いればよい。【００３１】  以下、本開示に係る工事方法の好適な態様について説明する。但し、以下に記載する好適な態様例によって、本開示の範囲が限定される訳ではない。【００３２】  一つの態様として、前記工事作業に先立って、前記各工事対象機器に対し目印を設置すると好適である。【００３３】  つまり、上記構成によれば、工事対象機器であることが目印により明確且つ容易に特定できるため、一層効率的に工事作業を行うことができる。なお、目印は工事対象機器であることがわかるものであれば特に限定されない。【００３４】  一つの態様として、前記目印が、前記目印を設置する前記工事対象機器に対応する前記工事情報の印刷物であると好適である。【００３５】  つまり、上記構成によれば、目印を工事対象機器に対応する工事情報の印刷物とすることで、目印をつけるのに、その印刷物を参照することにより対応する工事対象機器を容易に特定できるため、各工事対象機器に効率的に目印を設置することができる。
【図面の簡単な説明】
【００３６】
【図１】機器管理システムの概略構成図
【図２】工事情報を示す図
【図３】プラント配置図画像を示す図
【発明を実施するための形態】
【００３７】  図１は、本開示の概略を示し、本開示に係る機器管理システムは、対象のプラントにおける蒸気制御器１の状態を検出する状態検出器（状態検出部）２と、状態検出器２の検出情報を入力して検出情報の管理を行うデータ管理装置３とから構成される。ここで、蒸気制御器１とは、例えば蒸気トラップやバルブなど、プラントを流通する蒸気を制御する機器全般を指す。
【００３８】  プラントには多数の蒸気制御器１が分散配備されており、蒸気制御器１のそれぞれに蒸気制御器１の温度と振動とを検出する状態検出器２を設置してある。また、各蒸気制御器１には各蒸気制御器１を識別するための機器識別情報（例えば管理用ＩＤなど）ｔｉを設定してあり、状態検出器２は、図示しない通信機器により、温度と振動とのそれぞれの検出値ｄｉと設置した蒸気制御器１の機器識別情報ｔｉとを検出情報σｉとして、この検出情報σｉを定期的にデータ管理装置３に送信する。
【００３９】  データ管理装置３は、主に、検出情報σｉが入力される入力部Ｓ１、検出値ｄｉに基づいて蒸気制御器１の状態の判定を行う状態判定部Ｓ２、各種データを格納する記憶部Ｓ３、記憶部Ｓ３から位置情報Ｌｉと工事パターンＷｉとを抽出するデータ抽出部Ｓ４、データ抽出部Ｓ４から抽出した位置情報Ｌｉと工事パターンＷｉとから工事情報Ｘを生成する工事情報生成部Ｓ５とからなる。
【００４０】  状態判定部Ｓ２は、入力された検出値ｄｉに基づいて、対象の蒸気制御器１について、その状態が正常か不良かの判定とその不良種別（例えば蒸気トラップだと蒸気漏れ、詰まり異常、温度異常など）ｆａｉの判定とその不良の程度（軽不良、中不良、重不良など）ｆｂｉの判定とを行う。各種の判定は、設定された閾値と検出値ｄｉとを比較することにより行う。
【００４１】  例えば、正常か不良かの判定は、検出値ｄｉが閾値を超えているかどうかを判定することにより行う。
【００４２】  不良種別ｆａｉの判定は、どの物理量の検出値ｄｉが設定したどの閾値を超えたか又は下回ったかなどにより行える。例えば、蒸気トラップについて、振動の検出値ｄｉが設定した閾値を超えている場合にその不良種別ｆａｉが蒸気漏れであると判定し、温度の検出値ｄｉが設定した閾値を下回っている場合にその不良種別ｆａｉが詰まり異常であると判定する。また、温度異常については、温度の検出値ｄｉに対し詰まり異常とは異なる閾値を設定し、温度の検出値ｄｉが適正範囲を上回っている又は下回っている場合にその不良種別ｆａｉが温度異常であると判定するなどにより行う。
【００４３】  不良の程度ｆｂｉの判定は、複数段の閾値を設定して、検出値ｄｉがどの段階の閾値を超えたか又は下回ったかなどにより行える。
【００４４】  また、検出値ｄｉと閾値との判定において、図示は省略するが、後述する記憶部Ｓ３には蒸気制御器１の機種（製品形式など）と蒸気制御器１の設置状態（温度圧力条件など）とに基づき、各機種及び設置状態に応じた閾値をそれぞれ格納してあり、状態判定部Ｓ２には、検出値ｄｉに加えて機器識別情報ｔｉが入力されて、この機器識別情報ｔｉから特定される機種及び設置状態に基づいて記憶部Ｓ３から対応する閾値を自動的に抽出し、検出値ｄｉと閾値とから判定を行う構成にしてある。
【００４５】  記憶部Ｓ３は、蒸気制御器１の機種や設置状態などの基本情報、状態判定部Ｓ２における判定結果など各蒸気制御器１に関する情報をその機器識別情報ｔｉと関連付けた状態で記録する管理用データベースＤｂを格納してある。状態判定部Ｓ２における判定結果は、定期的に送信される検出情報ｄｉに基づき定期的に生成されるが、その生成される判定結果は管理用データベースＤｂに蓄積的に記録される。また、図３のような、プラントにおける全蒸気制御器１について、プラント配置図上のプラントにおける各蒸気制御器１に対応する位置に表示子を配置したプラント配置図画像Ｐも管理用データベースＤｂに記録してある。そして、上述した蒸気制御器１の機種と蒸気制御器１の設置状態とに基づく閾値も管理用データベースＤｂに記録してある。
【００４６】  さらに、記憶部Ｓ３には、対象のプラントにおける各蒸気制御器１の位置を示す位置情報Ｌｉを機器識別情報ｔｉと対応付けて予め格納してあり、また、蒸気制御器１に対する工事パターンＷｉを蒸気制御器１の不良種別ｆａｉと蒸気制御器１の機種（蒸気トラップやバルブなどどの機器であるかやその製品型式）ｔａｉと蒸気制御器１の設置状態（例えば接続仕様、用途、温度圧力条件（どのような温度圧力の蒸気が通るか）、設置期間、修理回数など）ｔｂｉとに基づき分類して予め格納してある。
【００４７】  位置情報Ｌｉは、図３に示すような、プラント配置図上のプラントにおける各蒸気制御器１に対応する位置に表示子Ｄを配置したプラント配置図画像Ｐにおける対象の蒸気制御器１の座標値、対象の蒸気制御器を具体的に特定するための撮影画像Ｐｃ（図２参照）、対象の蒸気制御器の基本情報（工事対象機器の取付場所・名称・用途・温度圧力条件・サイズ・接続仕様・型式など）から構成される。
【００４８】  工事パターンＷｉは、改善すべき項目、工事作業の種類（修理なのか交換なのか、又は配管などの周辺部分の修理・交換なのかなど）、必要な道具、蒸気制御器や周辺部分に対する工事対象箇所を示す画像、交換用の機器の画像などから構成される。
【００４９】  データ抽出部Ｓ４は、状態判定部Ｓ２で状態が不良であると判定された蒸気制御器１を工事対象機器として選別し、各工事対象機器について、機器識別情報ｔｉに基づいて記憶部Ｓ３から対応する位置情報Ｌｉを自動的に抽出する。また、同時に、機器識別情報ｔｉに基づいて記憶部Ｓ３の管理用データベースＤｂから対応する機種ｔａｉと設置状態ｔｂｉとを特定し、不良種別ｆａｉと機種ｔａｉと設置状態ｔｂｉとに基づいて記憶部Ｓ３から対応する工事パターンＷｉを自動的に抽出する。
【００５０】  なお、データ抽出部Ｓ４は、工事対象機器の選別を不良の程度ｆｂｉも加味して行うようにしてもよい。例えば、状態判定部Ｓ２で状態が不良であると判定された蒸気制御器１のうち、その不良の程度ｆｂｉが中不良以上のもののみを工事対象機器として選別し、不良の程度ｆｂｉが軽不良のものについては工事対象機器とはせずに放置しておくようにしてもよい。
【００５１】  工事情報生成部Ｓ５は、データ抽出部Ｓ４の抽出した位置情報Ｌｉと工事パターンＷｉとから工事情報Ｘを生成する。工事情報Ｘは位置情報Ｌｉと工事パターンＷｉとがまとめられたものであれば特に限定されないが、例えば、工事情報Ｘとして図２に示すような工事指示書を生成する。
【００５２】  図２のように、工事指示書は、その上段に、位置情報Ｌｉとして、工事対象機器のプラントの配置図上での位置を示す画像Ｐａ，Ｐｂと工事対象機器の撮影画像Ｐｃを配置してある。
【００５３】  画像Ｐａ，Ｐｂはプラント配置図画像Ｐをその縮尺を変えて表示したもので、プラント配置図画像Ｐにおける対象の蒸気制御器１の座標値に基づき、画像Ｐａ，Ｐｂは工事対象機器に対応する表示子Ｄを中心に、それぞれ所定の縮尺でプラント配置図画像Ｐを表示した画像となっている（なお、紙面の大きさ上の都合で図２では画像Ｐａについては表示子Ｄを省略している）。画像Ｐａはプラント全体における工事対象機器の位置がわかるように縮尺が小さい画像にしてあり、画像Ｐｂは詳細な位置がわかるように画像Ｐａに比べ縮尺が大きい画像にしてある。また、両者ともに工事対象機器がどれであるかがわかるようにその表示子を矢印で指すようにしてある。
【００５４】  これら画像Ｐａ〜Ｐｃにより、まず画像Ｐａを参照することによりプラントにおけるどのあたりに向かえばよいかがわかり、画像Ｐｂを参照することによりその位置を具体的に特定することができ、最後に画像Ｐｃを参照することにより画像Ｐｂの示す位置の周辺のどの機器が工事対象機器なのかを特定できる。このように画像Ｐａ〜Ｐｃを順番にたどっていくことにより、工事対象機器までの移動とその特定を容易且つ効率的に行うことができる。
【００５５】  また、画像Ｐａ〜Ｐｃの下に、工事対象機器の基本情報として、工事対象機器の取付場所・名称・用途・温度圧力条件・サイズ・接続仕様・型式を表示するようにしてある。
【００５６】  下段には、工事パターンＷｉとして、工事対象機器に関する情報が表形式で表示された欄Ｗａ、改善すべき項目を示す欄Ｗｂ、具体的な工事の内容を示す欄Ｗｃを配置してある。欄Ｗａには、蒸気制御器の機種ごとに、その型式・規格・接続仕様などを表示するようにし、工事対象機器に対応する機種の列にその型式などの情報が表示される（図２は工事対象機器が蒸気トラップである例を示してあり、欄Ｗａの蒸気トラップの対応する枠に関連する情報が表示される）。欄Ｗｂには、予め設定した改善項目が列挙されており、工事対象機器の不良種別ｆａｉと機種ｔａｉと設置状態ｔｂｉとに基づき選択された改善項目が強調して表示されるようにしてある。欄Ｗｃには、工事作業の種類（修理なのか交換なのか、又は配管などの周辺部分の修理・交換なのかなど）やその方法、工事対象箇所を示す画像、及び、交換を行う場合は新たに設置すべき交換用の機器の画像を表示してある。
【００５７】  この工事パターンＷｉを用いることで、欄Ｗａにより工事対象機器の基本情報をまとめて得ることができ、欄Ｗｂにより工事対象機器に対し何を改善すればよいのかがわかり、欄Ｗｃにより工事作業として具体的に何を行えばよいのか、交換する場合はどの種類の機器を準備すればよいのかがわかる。このように、工事パターンＷｉを参照することで、工事作業として何を行えばよいのかが容易に把握でき、工事作業を効率的に行うことができる。
【００５８】  また、工事情報生成部Ｓ５は、各工事対象機器の位置情報Ｌｉに基づいて、工事を行う各工事対象機器の順番として推奨する工事順を演算するようにしてある。具体的には、全工事対象機器に対し工事を行った場合の工事作業における総移動距離又は総移動時間に基づき工事順を決定するようにし、例えば、プラント配置図画像Ｐにおける各工事対象機器の表示子の位置を座標値に基づいて、任意の順番で全工事対象機器に対し工事を行った場合の工事作業における総移動距離又は総移動時間を計算し、計算される総移動距離又は総移動時間が最も有利な工事順を推奨する工事順として決定するなどにより行う。
【００５９】  なお、工事情報生成部Ｓ５は、工事順を、各工事対象機器に対応する工事パターンＷｉに基づく工事作業種別も加味して生成するようにしてもよく、例えば、交換用の機器を持たずに済むように機器の修理のみを行う機器を優先的に工事する方が効率的な場合や、修理や交換の作業に特殊な方法や道具を用いる機種のみを優先的に工事する方が効率的な場合など、特定の工事作業種別の工事対象機器が優先的に工事されるような工事順を生成するようにしてもよい。
【００６０】  さらに、工事情報生成部Ｓ５は、工程表として、演算した推奨工事順に基づいて各工事対象機器の工事情報Ｘを並べた文書データを生成する。これにより、この工程表順に示される工事情報Ｘを参照して工事を行っていくのみで、効率的に工事作業を行うことができる。なお、工程表として、単に各工事対象機器の推奨工事順を表示するだけのものを作成してもよい。
【００６１】  データ管理装置３は上記のような構成であり、状態検出器２から定期的に送信される検出情報σｉに基づき、工事対象機器を選別するとともに、その工事対象機器に対する工事情報Ｘや工事作業の工程表を生成する。
【００６２】  次に、この機器管理システムを用いた蒸気制御器の工事の方法について説明する。
【００６３】  まず、データ管理装置３により工事対象機器を選定するとともに、その工事対象機器に対する工事情報Ｘや工事作業の工程表が生成されると、まずは、工事作業に先立って、各工事対象機器の工事情報Ｘごとにその印刷物を作成する。そして、その印刷物に印刷された位置情報Ｌｉを参照しながら、プラントにおける工事対象機器まで向かい、工事情報Ｘの印刷物を対応する工事対象機器に設置する。これにより、この印刷物が目印となって工事対象機器の特定が容易になり、効率的に工事作業を行うことができる。
【００６４】  全工事対象機器に工事情報Ｘの印刷物を設置した後、工事作業の準備として、各工事対象機器の工事情報Ｘに基づいて、工事作業において必要となる道具や、交換用の蒸気制御器１を用意する。
【００６５】  工事作業の準備が終わると、工事作業へと移る。工事作業では、印刷用紙を表示体として、工程表として推奨工事順に基づいて各工事対象機器の工事情報Ｘを並べた文書データを印刷用紙に印刷し、この印刷物を参照しながら、工事情報Ｘに示される道具や交換用の蒸気制御器１を持って各工事対象機器へ向かい、工事情報Ｘに示される工事作業を各工事対象機器に対して行う。なお、表示体として、ディスプレイを備える可搬式の携帯端末を用いてもよく、この場合、有線又は無線により各工事対象機器の工事情報Ｘや工程表をデータ管理装置３から取得して、工事情報Ｘや工程表をディスプレイに表示するようにしてもよい。
【００６６】  このように、本開示に係る機器管理システムを用いて蒸気制御器の工事を行うことにより、効率的な工事作業を行うのに必要な情報が表示される工事情報と、効率的な工事順が示された工程表に基づいて工事作業を行うことができ、効率的に工事作業を行うことができる。
【００６７】〔別実施形態〕  以下に、別実施形態を列挙する。以下に列挙する形態は、単独で実施してもよく、複数を組み合わせて実施してもよい。
【００６８】  前述の実施形態では、状態検出器２として蒸気制御器１夫々に設置したものを示したが、これに限定されず、状態検出器２として可搬式のものを用いて、担当者が状態検出器２を携帯して順次蒸気制御器１の検出を行うようにしてもよい。この場合、可搬式の状態検出器２による蒸気制御器１の検出の際、あわせてカメラにより蒸気制御器１の撮影画像Ｐｃも撮影するようにし、状態検出器２からデータ管理装置３への検出情報σｉの入力とともに、各撮影画像Ｐｃをカメラからデータ管理装置３へ入力し、位置情報Ｌｉとして撮影画像Ｐｃを機器識別情報ｔｉと関連付けてデータ管理装置３に記憶するようにしてもよい。
【００６９】  前述の実施形態では、状態検出器２から入力される検出情報σｉとしての検出値ｄｉに基づいて、データ管理装置３の状態判定部Ｓ２が対応する蒸気制御器１の状態の判定を行うものを示したが、これに限定されず、状態検出器２に状態判定部Ｓ２を設けて状態検出器２にて対応する蒸気制御器１の状態の判定を行い、その判定結果を検出情報σｉに含めてデータ管理装置３に入力するようにしてもよい。
【００７０】  前述の実施形態では、データ抽出部Ｓ４が工事パターンＷｉを自動的に抽出するものを示したが、これに限定されず、適当な表示体により不良種別ｆａｉと機種ｔａｉと設置状態ｔｂｉとを表示するとともに、工事パターンＷｉの分類表も表示させて、表示された不良種別ｆａｉと機種ｔａｉと設置状態ｔｂｉとから担当者が所望の工事パターンＷｉを指示し、その指示に基づきデータベースＤｂからデータ抽出部Ｓ４が工事パターンＷｉを抽出するようにしてもよい。
【００７１】  前述の実施形態では、推奨工事順に基づいて各工事対象機器の工事情報Ｘを並べた工程表を参照しながら工事作業を行う例を示したが、これに限定されず、工程表として、各工事対象機器の推奨工事順を表示するものを用いて、工事情報Ｘとともに工程表を参照しながら工事作業を行ってもよい。
【００７２】  前述の実施形態では、工事情報生成部Ｓ５が、工事を行う各工事対象機器の順番として推奨する工事順を演算し、この工事順に基づく工程表を生成する構成を示したが、工事情報生成部Ｓ５は推奨する工事順を演算せず、工程表の作成を行わないものであってもよい。
【産業上の利用可能性】
【００７３】  本開示の機器管理システムは各種分野における種々のプラントや工場に施設される蒸気制御器の管理に適用することができる。
【符号の説明】
【００７４】１         蒸気制御器２         状態検出部（状態検出部）Ｓ１       入力部Ｓ２       状態判定部Ｓ３       記憶部Ｓ４       データ抽出部Ｓ５       工事情報生成部σｉ       検出情報ｔｉ       機器識別情報ｔａｉ     機種ｔｂｉ     設置状態ｆａｉ     不良種別ｆｂｉ     不良の程度Ｌｉ       位置情報Ｐａ，Ｐｂ  配置図画像Ｐｃ       撮影画像Ｗｉ       工事パターンＸ         工事情報
【要約】  各蒸気制御器（１）の位置を示す位置情報（Ｌｉ）を各蒸気制御器（１）に設定した機器識別情報（ｔｉ）と対応付けた状態で予め格納してあるとともに、蒸気制御器（１）に対する工事パターン（Ｗｉ）を蒸気制御器（１）の機種（ｔａｉ）と蒸気制御器（１）の設置状態（ｔｂｉ）とに基づき分類した状態で予め格納してある記憶部（Ｓ３）と、各工事対象機器について、記憶部（Ｓ３）から、検出情報（σｉ）に基づく機器識別情報（ｔｉ）から位置情報（Ｌｉ）を抽出するとともに、機器識別情報（ｔｉ）から特定される蒸気制御器（１）の機種（ｔａｉ）及び設置状態（ｔｂｉ）から対応する工事パターン（Ｗｉ）を抽出するデータ抽出部（Ｓ４）と、各工事対象機器について、抽出された位置情報（Ｌｉ）と工事パターン（Ｗｉ）からなる工事情報（Ｘ）を生成する工事情報生成部（Ｓ５）とを備える。【図１】
0005902879.tif 000002
【図２】
0005902879.tif 000003
【図３】
0005902879.tif 000004